(57)【要約】　　　（修正有）【課題】小型化を図りつつ、低コストを可能にした食器洗浄機を提供する。【解決手段】本体側案内面６６で形成された空間内でガイドローラ７８が転動することで、洗浄機本体側のガイドレール６１に沿ってドアが昇降する。このガイドローラ７８には、ローラ本体８６から第３の案内面６４ａに向けて突出する山形状の突出部８７が設けられ、この突出部の頂部８７ａは、ドアＤの昇降時に第３の案内面６４ａに対し摺接可能なように第３の案内面６４ａとの間に所定量のクリアランスを有しているので、ドアＤの昇降時において、山形状の突出部８７の頂部８７ａが第３の案内面６４ａに擦れるので、ドアＤをスムーズに昇降させることができる。【選択図】　図１０
2004141356.tif 000002
【特許請求の範囲】
【請求項１】
前記洗浄機本体側に設けられた本体側ガイドレールに沿って、ドアを昇降させることにより、前記洗浄機本体側に設けられた洗浄室の開閉を行う食器洗浄機において、
前記本体側ガイドレールは、
上下方向に延在すると共に、対面する一対の第１及び第２の案内面と、
上下方向に延在すると共に、前記第１の案内面と前記第２の案内面とを連結して前記本体側ガイドレールに断面コ字状の本体側案内面を形成する第３の案内面とを有し、
前記ドアの端部には、第１〜第３の案内面で囲まれた空間内に挿入されて、前記本体側ガイドレールに沿って回転しながら前記ドアの上下動を案内するドア側ガイドローラが取り付けられ、
前記ドア側ガイドローラは、
前記第１及び第２の案内面に摺接する転動面をもったローラ本体と、
前記ローラ本体から前記第３の案内面に向けて突出して、前記ドアの昇降時に前記第３の案内面に対し摺接可能な頂部と前記第３の案内面との間に所定量のクリアランスを形成してなる山形状の突出部とを備えたことを特徴とする食器洗浄機。
【請求項２】
前記本体側ガイドレールに対向して配置されたドア側ガイドレールは、
上下方向に延在すると共に、対面する一対の第４及び第５の案内面と、
上下方向に延在すると共に、前記第４の案内面と前記第５の案内面とを連結して前記ドア側ガイドレールに断面コ字状のドア側案内面を形成する第６の案内面とを有し、
前記洗浄機本体の端部には、第４〜第６の案内面で囲まれた空間内に挿入されて、前記ドア側ガイドレールに沿って回転しながら前記ドアの上下動を案内する本体側ガイドローラが取り付けられ、
前記本体側ガイドローラは、
前記第４及び第５の案内面に摺接する転動面をもったローラ本体と、
前記ローラ本体から前記第６の案内面に向けて突出して、前記ドアの昇降時に前記第６の案内面に対し摺接可能な頂部と前記第６の案内面との間に所定量のクリアランスを形成してなる山形状の突出部とを備えたことを特徴とする請求項１記載の食器洗浄機。
【請求項３】
山形状の前記突出部は、前記ローラ本体の周縁から前記第３又は第６の案内面に向けて円錐台形状に突出することを特徴とする請求項１又は２記載の食器洗浄機。
【発明の詳細な説明】
【０００１】
【発明の属する技術分野】
本発明は、ドアを上下させることで、洗浄機本体側の洗浄室の開閉が行われるいわゆるドアタイプの食器洗浄機に関するものである。
【０００２】
【従来の技術】
従来、このような分野の技術として、実開平２−１３４９６５号公報がある。この公報に開示された食器洗浄機は、ドアの前面に取り付けられたハンドルを手で握って上げ下げすることで、洗浄室を開閉できるタイプのものである。また、ドアのスムーズな開閉を可能にするため、ドア側と本体側とをガイド手段を介して連結し、ドア側に取り付けられた第１のガイドレールと本体側に取り付けられた第１のガイドローラとの協働で、ドアの奥行き方向のブレを防止し、本体側に取り付けられた第２のガイドレールとドア側に取り付けられた第２のガイドローラとの協働で、ドアの横幅方向のブレを防止している。なお、第１のガイドレールと第２のガイドレールは並設するように配置され、第１のガイドローラに対して第２のガイドローラは直交するように配置されている。
【０００３】
【特許文献１】
実開平２−１３４９６５号公報
【特許文献２】
特開２０００−２５４０８６号公報
【０００４】
【発明が解決しようとする課題】
しかしながら、ガイドレールとガイドローラとの協働によってドアの昇降をガイドするにあたって、第１及び第２のガイドローラと第１及び第２のガイドレールとを採用し、それぞれの部品のレイアウトを考慮すると、ガイド手段自体が大型化し、ガイド手段の占有スペースを大きくする必要が生じ、小型の食器洗浄機に適用し難いといった問題点がある。しかも、部品点数が多いので、コスト低減の要求を満たすことができないといった問題点がある。
【０００５】
本発明は、特に、小型化を図りつつ、低コストを可能にした食器洗浄機を提供することを目的とする。
【０００６】
【課題を解決するための手段】
本発明に係る食器洗浄機は、洗浄機本体側に設けられた本体側ガイドレールに沿って、ドアを昇降させることにより、洗浄機本体側に設けられた洗浄室の開閉を行う食器洗浄機において、本体側ガイドレールは、上下方向に延在すると共に、対面する一対の第１及び第２の案内面と、上下方向に延在すると共に、第１の案内面と第２の案内面とを連結して本体側ガイドレールに断面コ字状の本体側案内面を形成する第３の案内面とを有し、ドアの端部には、第１〜第３の案内面で囲まれた空間内に挿入されて、本体側ガイドレールに沿って回転しながらドアの上下動を案内するドア側ガイドローラが取り付けられ、ドア側ガイドローラは、第１及び第２の案内面に摺接する転動面をもったローラ本体と、ローラ本体から第３の案内面に向けて突出して、ドアの昇降時に第３の案内面に対し摺接可能な頂部と第３の案内面との間に所定量のクリアランスを形成してなる山形状の突出部とを備えたことを特徴とする。
【０００７】
この食器洗浄機には、上下方向に延在する第１〜第３の案内面により断面コ字状の本体側案内面を有するガイドレールが採用され、この案内面で形成された空間内でガイドローラが転動することで、洗浄機本体側のガイドレールに沿ってドアが昇降する。このとき、ドア側ガイドローラのローラ本体の転動面が、第１及び第２の案内面に摺接しながら、ガイドレールの延在方向（上下方向）にドアが確実に昇降する。さらに、このガイドローラには、ローラ本体から第３の案内面に向けて突出する山形状の突出部が設けられ、この突出部の頂部は、ドアの昇降時に第３の案内面に対し摺接可能なように第３の案内面との間に所定量のクリアランスを有しているので、ドアの昇降時において、山形状の突出部の頂部が第３の案内面に擦れるので、ドアをスムーズに昇降させることができ、小型化を図りつつ、低コストを可能にしている。
【０００８】
また、本体側ガイドレールに対向して配置されたドア側ガイドレールは、上下方向に延在すると共に、対面する一対の第４及び第５の案内面と、上下方向に延在すると共に、第４の案内面と第５の案内面とを連結してドア側ガイドレールに断面コ字状のドア側案内面を形成する第６の案内面とを有し、洗浄機本体の端部には、第４〜第６の案内面で囲まれた空間内に挿入されて、ドア側ガイドレールに沿って回転しながらドアの上下動を案内する本体側ガイドローラが取り付けられ、本体側ガイドローラは、第４及び第５の案内面に摺接する転動面をもったローラ本体と、ローラ本体から第６の案内面に向けて突出して、ドアの昇降時に第６の案内面に対し摺接可能な頂部と第６の案内面との間に所定量のクリアランスを形成してなる山形状の突出部とを備えると好適である。このように、ドア側にもガイドレールを設け、洗浄機本体側にもガイドローラを設けることで、２本のガイドレール（ドア側ガイドレール及び本体側ガイドレール）と２個のガイドローラ（ドア側ガイドローラ及び本体側ガイドローラ）との協働によって、ドアを安定して真っ直ぐに且つ確実に昇降させることができる。
【０００９】
また、山形状の突出部は、ローラ本体の周縁から第３又は第６の案内面に向けて円錐台形状に突出すると好適である。このような形状の突出部は、第３又は第６の案内面に対して適切な摺接を可能にする。
【００１０】
【発明の実施の形態】
以下、図面を参照しつつ本発明に係る食器洗浄機の好適な実施形態について詳細に説明する。
【００１１】
図１〜図３に示すように、食器洗浄機１は、ステンレス製の筐体２を有する洗浄機本体Ｂと、この洗浄機本体Ｂに設けられた洗浄室Ｓの開閉を行うドアＤとから主として構成されている。この食器洗浄機１は、いわゆるドアタイプと呼ばれるものであり、ドアＤを鉛直方向に上下動させることで洗浄室Ｓの開閉を行うものである。
【００１２】
この洗浄機本体Ｂにおいて、筐体２は上下に仕切られており、この筐体２の下部２ａには機械室３が設けられ、上部２ｂには洗浄室Ｓが設けられている。そして、機械室３内には、洗浄用循環ポンプ４、すすぎ用循環ポンプ５及び電装部品等を収容した電装箱６などが収容されている。これに対し、洗浄室Ｓの上部には、フリー回転自在で３本のＹ字状アームからなる上側洗浄ノズル１０と、フリー回転自在で一直線状に延びる上側すすぎノズル１１とが配置されている。同様に、洗浄室Ｓの下部にも、フリー回転自在で３本のＹ字状アームからなる下側洗浄ノズル１２と、フリー回転自在で一直線状に延びる下側すすぎノズル１３とが配置されている。このような上下２段のノズル構成によって、洗浄効率やすすぎ効率を高めている。
【００１３】
また、上側すすぎノズル１１と下側すすぎノズル１３との間に出現する洗浄室Ｓ内において、下側すすぎノズル１３の上方には、食器ラック（図示せず）を載置させるための金属製ラックレール（図示せず）が着脱自在に配置されている。この食器ラックは、飲食後の皿、茶碗、コップなどの食器を一括して自動洗浄するためのものである。この食器ラックを格子状に形成することで、食器を上下から同時に洗うことを可能にする。食器の一括搬送を可能にするこのような食器ラックを利用するタイプの食器洗浄機１は、喫茶店、レストラン、一般家庭などの厨房で幅広く利用されている。
【００１４】
さらに、図２及び図４に示すように、洗浄室Ｓの底面１４には、網目をもったフィルタ２０が配置され、このフィルタ２０の下方には、洗浄水やすすぎ水を貯めておくための洗浄水タンク２１が配置されている。よって、洗浄時やすすぎ時に食器から落とされた残菜などの汚損物のうちの比較的大きなものは、フィルタ２０の上面に残り、再利用可能な水が洗浄水タンク２１内に溜められる。さらに、洗浄水タンク２１内には、一定水位に保つために余剰な水を外部に排出するためのオーバーフローパイプ２２が配置されている。
【００１５】
次に、前述した食器洗浄機１の動作について簡単に説明する。なお、洗浄運転時においては、前回のすすぎの際に洗浄水タンク２１内に溜められている６０°Ｃ程度の洗浄水が利用される。そこで、洗浄ボタンをＯＮすると、洗浄用の循環ポンプ４によって洗浄水が上側及び下側洗浄ノズル１０，１２から噴射を開始する。このとき、各洗浄ノズル１０，１２は、噴射力の反力によって常に回転し続け、このような回転によって洗浄水が満遍なく食器に当たり続けるので、食器から汚損物が効率良く洗い落とされる。そして、洗浄工程を所定時間行った後、すすぎ工程に移行する。
【００１６】
すすぎ運転時においては、所定容量をもったすすぎ水タンク（図示せず）内に溜められている８０°Ｃの新鮮な温水が利用される。そこで、すすぎ工程に移行した際、すすぎ用の循環ポンプ５の駆動により、新鮮なすすぎ水が上側及び下側すすぎノズル１１，１３から噴射すると、各すすぎノズル１１，１３は、噴射力の反力によって常に回転し続け、このような回転により、すすぎ水が満遍なく食器に当たり続け、食器を効率良くすすぎ続ける。なお、すすぎ時に洗浄水タンク２１内に溜められる温水は、水の利用効率を上げるため洗浄水として利用される。
【００１７】
図１〜図３に示すように、前述した食器洗浄機１は、コーナ設置タイプであり、断面Ｌ字状のドアＤを鉛直方向に上下動させることで洗浄室Ｓの開閉を行うことができるタイプのものである。ステンレス製のこのドアＤは、水平面において断面Ｌ字状のドア側洗浄室面５０を有し、このドア側洗浄室面５０は、ドアＤにおける矩形の前面パネルＰ１の内面と矩形の側面パネルＰ２の内面とからなる。これに対し、洗浄機本体Ｂは、断面Ｌ字状の本体側洗浄室面５２を有し、この本体側洗浄室面５２は、本体Ｂ側における矩形の背面パネルＰ３の内面と矩形の側面パネルＰ４の内面とからなる。このようなパネルＰ１〜Ｐ４の四面によって、断面矩形の洗浄室面５３を形成する。
【００１８】
このようにして、いわゆる二方開放型ドアＤが形成され、食器洗浄機１を厨房のコーナ部分に設置した場合（図５参照）でも、厨房のコーナ壁面Ｗ１に対してドアＤが開放されることがないので、洗浄室Ｓから飛散する蒸気や洗浄水の影響によって壁Ｗ１が劣化することがない。しかも、ドアＤの軽量化が適切に図られるので、利用者の負担が軽くなり、ドアＤの上げ下げをスムーズに行うことができる。また、ドアＤの軽量化によって、操作レバー２５やガイドレールなどのドアの付属部品の耐久性が更に向上することになる。
【００１９】
また、洗浄機本体Ｂの上部には、上側洗浄ノズル１０及び上側すすぎノズル１１を収容するためにキャップ状に形成されたステンレス製のトップパネル８が溶接等で接合されている。このように、トップパネル８を洗浄機本体Ｂ側に設けることで、ドアＤの更なる軽量化が達成される。また、図９に示すように、トップパネル８の下端は、本体側洗浄室面５２の一部をなす洗浄室背面パネルＰ３の上端と本体側洗浄室面５２の一部をなす洗浄室側面パネルＰ４の上端とに接合される。そして、食器洗浄機１の背面側及び一側面側において、各接合部分５４は、水平方向に延在すると共に、先端が下方に向けて形成された軒先形状を有し、接合部分５４には下向きの傾斜面が形成されることになる。これにより、トップパネル８の内壁面に沿って流れ落ちる水滴や残菜などを素早く流下させることができ、衛生面に対する配慮の一助をなす。また、洗浄機本体Ｂにトップパネル８を接合させるにあたって、洗浄機１の外面がフラットになるよう接合させることで、食器洗浄機１を厨房の壁に近づけることができる。
【００２０】
このようなドアＤは、断面Ｌ字状に形成されているので、ドアＤが強度不足になる場合がある。このとき、図２及び図５に示すように、ドアＤのコーナ部分に三角板からなる補強部材５５を設けることで、Ｌ型ドアＤの補強が確実になされる。更に、上側洗浄ノズル１０及び上側すすぎノズル１１を収容するためにトップパネル８を大きくする必要性がある場合、ドアＤのコーナ部分に補強部材５５が設けられている結果として、ドアＤの昇降時に補強部材５５がトップパネル８に干渉する事態が発生する。そこで、三角形状の補強部材５５に対応するために、キャップ状のトップパネル８には、水平断面矩形のコーナ部分の一つを鉛直方向に切り落としたような形状の切欠き部５６が設けられる。この切欠き部５６の形成によって、トップパネル８は多面化が図られ、この多面化によって、トップパネル８の強度アップが適切に図られる。
【００２１】
このようなＬ型ドアＤと洗浄機本体Ｂとは二カ所で連結され、各連結部分には、ドアＤが軽量であるゆえに、次のような簡易型のガイド手段Ｇが採用される。図１０〜図１２に示すように、洗浄機本体Ｂ側の支柱６０には、上下方向に延在する本体側ガイドレール６１が溶接等で固定されている。この本体側ガイドレール６１には、上下方向に延在する長尺状第１ガイドプレート６２の内面に設けられた第１の案内面６２ａと、第１のガイドプレート６２に対面して平行で且つ上下方向に延在する長尺状第２ガイドプレート６３の内面に設けられた第２の案内面６３ａと、第１の案内面６２ａと第２の案内面６３ａとを連結するように上下方向に延在する長尺状第３ガイドプレート６４の内面に設けられた第３の案内面６４ａとで断面コ字状の本体側案内面６６が形成されている。なお、第２のガイドプレート６３には、支柱６０を溶接等で固定するためのプランジプレート６７が設けられている。
【００２２】
同様に、ステンレス製のドアＤの端部には、上下方向に延在してドアＤの昇降に追従して昇降するドア側ガイドレール７１が溶接等で固定されている。このドア側ガイドレール７１には、上下方向に延在する長尺状第４ガイドプレート７２の内面に設けられた第４の案内面７２ａと、第４のガイドプレート７２に対面して平行で且つ上下方向に延在する長尺状第５ガイドプレート７３の内面に設けられた第５の案内面７３ａと、第４の案内面７２ａと第５の案内面７３ａとを連結するように上下方向に延在する長尺状第６ガイドプレート７４の内面に設けられた第６の案内面７４ａとで断面コ字状のドア側案内面７６が形成されている。そして、このガイド手段Ｇにおいては、第６の案内面７４ａは第３の案内面６４ａに対向して配置されている。なお、第５のガイドプレート７３には、ドアＤの端部を溶接等で固定するための保持プレート７７が設けられている。
【００２３】
さらに、ドアＤの端部に位置するドア側ガイドレール７１の下端には、第１〜第３の案内面６２ａ〜６４ａで囲まれた空間内に挿入されるドア側ガイドローラ７８が設けられている。このガイドローラ７８は、第６の案内面７４ａの下端に立設した支軸７９によって回転自在に支持されている。そして、このガイドローラ７８は、ドア側ガイドレール７１と一緒に昇降すると共に、本体側ガイドレール６１に沿って転動しながら昇降する。これに対し、洗浄機本体Ｂ側の端部に位置する本体側ガイドレール６１の上端には、第４〜第６の案内面７２ａ〜７４ａで囲まれた空間内に挿入される本体側ガイドローラ８０が設けられている。このガイドローラ８０は、第３の案内面６４ａの上端に立設させる支軸８１によって回転自在に支持されている。そして、このガイドローラ８０は、下側に位置するガイドローラ７８に対し、上下方向において直線上に整列させているので、ガイドローラ８０は、ガイドレール７１が昇降する際の案内の役目を果たし、結果的に、ドアＤを安定して真っ直ぐに且つ確実に昇降させることを可能にする。
【００２４】
このガイドローラ８０の支軸８１は、ガイド手段Ｇの組み立てを考慮して着脱自在に構成されている。例えば、取付け金具８５が利用され、この金具８５は、保持板８２の表面に支軸８１を立設させ、保持板８２の裏面にボルト８３を立設させている。また、ガイド手段の組立て時の最終工程において、ガイドレール６１に設けられた切欠き部６１ａにボルト８３を挿入し、ナット８４の締め込みによって保持板８２を第３の案内面６４ａに圧着させ、これによって、支軸８１をガイドレール６１に固定させる（図１１参照）。
【００２５】
さらに、図１２に示すように、下側に位置するドア側ガイドローラ７８は、第１及び第２の案内面６２ａ，６３ａに対し摺接する転動面８６ａをもった円板状のローラ本体８６を有し、このローラ本体８６には、この周縁から第３の案内面６４ａに向けて突出する山形状（例えば円錐台形状）の突出部８７が一体に形成されている。また、突出部８７の頂部８７ａは、ドアＤの昇降時に第３の案内面６４ａに対して摺接するが、この頂部８７ａと第３の案内面６４ａとの間には、所定量（２ｍｍ程度）のクリアランスＲ１が形成されている。そして、円形の頂部８７ａは、第３の案内面６４ａに対して適切な摺接を可能にするため、ローラ本体８６の径より小さな径で形成されている。また、頂部８７ａを第３の案内面６４ａに適切に摺動させるためには、支軸７９の先端を頂部８７ａから突出させない。
【００２６】
同様に、図１１に示すように、上側に位置する本体側ガイドローラ８０は、第４及び第５の案内面７２ａ，７３ａに対し摺接する転動面８８ａをもった円板状のローラ本体８８を有し、このローラ本体８８には、この周縁から第６の案内面７４ａに向けて突出する山形状（例えば円錐台形状）の突出部８９が一体に形成されている。また、突出部８９の頂部８９ａは、ドアＤの昇降時に第６の案内面７４ａに対して摺接するが、この頂部８９ａと第６の案内面７４ａとの間には、所定量（２ｍｍ程度）のクリアランスＲ２が形成されている。そして、円形の頂部８９ａは、第６の案内面７４ａに対して適切な摺接を可能にするため、ローラ本体８８の径より小さな径で形成されている。また、頂部８９ａを第６の案内面７４ａに適切に摺動させるためには、支軸８１の先端を頂部８９ａから突出させない。
【００２７】
このようなガイド手段Ｇによって、ドアＤの昇降時において、ローラ本体８６の頂部が直接的に第３の案内面６４ａに擦れることがなく、山形状の突出部８７の頂部８７ａが擦れることになるので、ドアＤをスムーズに昇降させることができ、小型化を図りつつ、低コストを可能にする。なお、突出部８７の頂部８７ａは、ガイドローラ７８の回転軸線方向におけるクリアランスＲ１によるガタつきを最小限に押さえつつ、摩擦抵抗を小さくするような様々な設計変更が可能である。また、前述した本体側ガイドローラ８０も同様の作用効果を有するので、詳細な説明は省略する。
【００２８】
さらに、このドアＤは、片持ち支持状態で所定角度内を回動する操作レバー２５によって昇降する。この操作レバー２５は、洗浄機本体Ｂの上部に設けられたトップパネル８の天板２６に対し片持ち支持状態で軸支されたアーム部２７を有している。このアーム部２７は、ドアＤの側面２３に沿って直線的に延在する（図５参照）。図１及び図６に示すように、このアーム部２７の基端には、水平方向に延在する回動軸部２８の一端が固定され、この回動軸部２８は、洗浄機本体Ｂの天板２６に固定した左右一対の軸受部２９により回転自在に保持される。
【００２９】
さらに、操作レバー２５には、片手での操作を可能にするＬ字状のハンドル部３０が設けられている。このハンドル部３０の基端は、ドアＤの側面２３における前側で、連結ピン３１を介して片持ち支持状態で軸支されている。そして、ハンドル部３０は、前方に向けて延在すると共に、作業者の片手操作を容易にするための取っ手（把手）３０ａを有し、この取っ手３０ａは、ドアＤの前面２４に対峙する（図５参照）。なお、この取っ手３０ａは、ドアＤの上げ下げを考慮して略水平に延在する。
【００３０】
図１〜図３に示すように、アーム部２７の先端（遊端）とハンドル部３０の基端とを直線的な２本のリンク部３２，３２を介して連結する。互いのリンク部３２は略平行に配置され、各リンク部３２の両端は、アーム部２７の先端（遊端）とハンドル部３０の基端に対し回動自在に軸支されている。このように操作レバー２５は、アーム部２７とハンドル部３０と２本のリンク部３２との三構成要素からなるので、操作レバー２５のハンドル部３０を手で持って上げ下げする際に、ハンドル部３０の取っ手３０ａの移動軌跡は略直線的になり、ハンドル操作し易い。しかも、前述した構成は、ハンドル部３０の取っ手３０ａの移動距離を小さくしつつ、操作力の低減を可能にするので、利用者の作業負担を軽減する。
【００３１】
このような構成の操作レバー２５は、洗浄室Ｓの開口高さを大きくしたい場合に特に有効である。また、操作レバー２５は、一本のアーム部２７と、一本のハンドル部３０と、２本のリンク部３２とにより構成されるので、食器洗浄機１の側面１ａを、厨房のコーナ壁面Ｗ１に可能な限り近づけることができ（図５参照）、この操作レバー２５は、コーナ設置型に極めて適した構成と言える。なお、２本のリンク部３２は、互いに平行である必要はなく、所定角度をもって対向させるように配置してもよい。
【００３２】
更に、前述した操作レバー２５には、図６〜図８に示すように、アーム部２７の回動範囲を規制するストッパ手段３３と、ドアＤの持ち上げ力を補助して、ドアＤを持ち上げるときの操作力を軽減させるためのバネ手段３４とが更に設けられている。
【００３３】
このストッパ手段３３は、洗浄室Ｓの開口の高さに対応して取っ手３０ａの上下動範囲を規制するものである。ストッパ手段３３は、操作レバー２５の一部をなして天板２６の上方で水平に延在する回転軸部２８の両端において、回動軸部２８に対し垂直方向に立設させた左右一対の揺動レバー３５と、揺動レバー３５，３５の遊端間に架け渡されるように固定されると共に回動軸部２８に対して平行に延在するストッパピン３６と、ストッパピン３６の移動範囲に沿って円弧状に形成された規制溝３７を有すると共に天板２６に立設させた左右一対のストッパ板３８，３８とで構成されている。よって、取っ手３０ａを上下動させると、アーム部２７の回動に追従するストッパピン３６が規制溝３７の端に当たることで、ドアＤの上下動範囲が規制されることになる。そして、規制溝３７の長さを変更するだけの簡単な設計変更によって、ドアＤの昇降範囲を自由に設定することができる。なお、ストッパ板３８には、回転軸部２８の貫通を可能にする開口部３８ｂが形成されている。
【００３４】
このようなストッパ手段３３においては、ストッパ板３８に設けられた規制溝３７の両端によってストッパピン３６の移動範囲が規制され、その結果として、アーム部２７の回動範囲、すなわちドアＤの昇降範囲が規制されることになる。すなわち、規制溝３７の長さが長い場合には、ドアＤの昇降量が大きくなり、規制溝３７の長さが短い場合には、ドアＤの昇降量が小さくなる。このように、規制溝３７の長さは、洗浄室Ｓの高さに合わせて適宜選択される。よって、このようなストッパ手段３３の採用は、ストッパ機能の簡素化を図りつつ、様々な食器洗浄機への対応を容易にし、機種変更への対応を容易にする。しかも、ストッパ板３８が洗浄機本体Ｄの天板２６に取り付けられているので、何らかの原因でストッパ手段３３が破損した場合でも、ストッパ手段３３の構成部品（揺動レバー３５、ストッパピン３６及びストッパ板３８など）が洗浄室Ｓ内に入り込むことがないといった利点を併せもっている。
【００３５】
更に、ドアＤの持ち上げ力を補助するために採用されたバネ手段３４は、洗浄機本体Ｂの背面３９に沿って略鉛直方向に延在する引っ張り螺旋バネからなる。この螺旋バネ３４の下端にはＬ型ブラケット４０の上端が引っ掛けられ、このブラケット４０の下端は、雄ねじ４１のヘッド部に引っ掛けられている。そして、バネ力調整を可能にするため、雄ねじ４１のネジ部４１ａは、洗浄機本体Ｂの背面３９にネジ固定されて水平に延在するブラケット３９の開口内に差し込まれ、雄ねじ４１のネジ部４１ａに対しては、下方から調整ネジ４２を螺合させる。これにより、調整ネジ４２を所定の方向に回すだけで、螺旋バネ３４の初期設定長さの調整が図られ、螺旋バネ３４のバネ力を簡単に調整できる。
【００３６】
これに対し、螺旋バネ３４の上端は、直状の連接バー４４を介してストッパピン３６に連結されている。この連接バー４４は、洗浄機本体Ｂの背面３９に沿って略鉛直方向に延在し（図４参照）、連接バー４４の上端は、ストッパピン３６に対して回動自在に連結され、連接バー４４の下端には、螺旋バネ３４のフック部分３４ａを引っ掛けるためのフック穴４４ａが設けられている。よって、図７に示すように、操作レバー２５の取っ手３０ａを手で握ってドアＤを持ち上げる場合（ドアＤを開く場合）には、螺旋バネ３４のバネ力により、ドアＤが軽く持ち上がり、ドアＤを降ろす場合（ドアＤを閉じる場合）には、ドアＤの自重により、ドアＤを素早く閉めることができる。なお、この螺旋バネ３４は、ドアＤが下がるにつれて伸び続ける。
【００３７】
更に、図７に示すように、連接バー４４の上部４４ｂは、ストッパピン３６側に向け所定角度をもって屈曲する。同様に、連接バー４４の上部４４ｃも、洗浄機本体Ｂの背面３９側に向け所定角度をもって屈曲する。よって、螺旋バネ３４を、鉛直方向に可能な限り近づけるよう延在させることができる。従って、螺旋バネ３４が、製氷機本体Ｂの背面３９に沿うように配置されるので、食器洗浄機Ｂの背面３９を厨房のコーナ壁面Ｗ２（図５参照）に可能な限り近づけることができ、このことは、食器洗浄機１の占有スペースの縮小化に寄与する。
【００３８】
ここで、前述したストッパ手段３３は、洗浄機本体Ｂの天板２６上において左右のいずれかに選択的に取り付けることを予定している。例えば、食器洗浄機１が右コーナ設置タイプ（図１及び図５参照）であって、食器洗浄機１の左側にのみアーム部２７が存在する場合、前述したストッパ手段３３は、洗浄機本体１の天板２６において左側に配置されることになる。これに対し、食器洗浄機１が左コーナ設置タイプ（図示せず）であって、食器洗浄機１の右側にのみアーム部２７が存在する場合、前述したストッパ手段３３は、洗浄機本体の天板２６において右側に配置されることになる。
【００３９】
このように、アーム部２７の位置に応じ、ストッパ手段３３の位置が選択的に決定されるが、このような選択的な配置を可能にしているのは、ストッパ手段３３が洗浄機本体Ｂの天板２６に配置されることを基本にし、揺動レバー３５、ストッパピン３６及びストッパ板３８が共有化を容易にする部品だからである。部品の共有化を更に容易にするため、例えば、ストッパ板３８には、トップパネル８の後部側コーナ部分８ａへの固定を可能にするための取付け座部３８ａ（図５及び図６参照）が前後に設けられている。各取付け座部３８ａは、折り曲げによって側方へ張り出すように形成され、ネジ４６による固定を可能にしている。同様に、軸受部２９にも、トップパネル８の後部側コーナ部分８ａへの固定を可能にするための取付け座部２９ａ（図５及び図６参照）が設けられ、各取付け座部２９ａは、ネジ４７による固定を可能にしている。
【００４０】
更に、前述したストッパ手段３３及び軸受部２９を、左右いずれかに選択的に配置させるための寸法的な制約について説明する。例えば、図８に示すように、背面３９に中央において、上側洗浄ノズル１０用の洗浄水配管４８と上側すすぎノズル１１用のすすぎ水配管４９が立ち上がっている場合、螺旋バネ３４が各配管４８，４９に触れないようにするためには、左右の軸受部２９，２９の間隔を必要最小限の大きさにすることと、背面３９の横幅に関して、配管スペースの左右に螺旋バネスペースを確保しておくことが好ましい。これによって、右コーナ設置タイプの食器洗浄機か左コーナ設置タイプの食器洗浄機のいずれかを製造する場合であっても、配管４８，４９のレイアウトを変更する必要がなく、コーナ設置タイプの食器洗浄機の生産性を著しく阻害することがない。
【００４１】
【発明の効果】
本発明による食器洗浄機は、以上のように構成されているため、次のような効果を得る。すなわち、洗浄機本体側に設けられた本体側ガイドレールに沿って、ドアを昇降させることにより、洗浄機本体側に設けられた洗浄室の開閉を行う食器洗浄機において、本体側ガイドレールは、上下方向に延在すると共に、対面する一対の第１及び第２の案内面と、上下方向に延在すると共に、第１の案内面と第２の案内面とを連結して本体側ガイドレールに断面コ字状の本体側案内面を形成する第３の案内面とを有し、ドアの端部には、第１〜第３の案内面で囲まれた空間内に挿入されて、本体側ガイドレールに沿って回転しながらドアの上下動を案内するドア側ガイドローラが取り付けられ、ドア側ガイドローラは、第１及び第２の案内面に摺接する転動面をもったローラ本体と、ローラ本体から第３の案内面に向けて突出して、ドアの昇降時に第３の案内面に対し摺接可能な頂部と第３の案内面との間に所定量のクリアランスを形成してなる山形状の突出部とを備えたことにより、小型化を図りつつ、低コストを可能にする。
【図面の簡単な説明】
【図１】本発明に係る食器洗浄機の一実施形態を示す斜視図である。
【図２】図１に示した食器洗浄機のドアを開いた状態を示す斜視図である。
【図３】図１に示した食器洗浄機の側面図である。
【図４】図１に示した食器洗浄機の部分断面図である。
【図５】図１に示した食器洗浄機の平面図である。
【図６】本発明に係る食器洗浄機に適用するストッパ手段の要部拡大斜視図である。
【図７】図６に示したストッパ手段の側面図である。
【図８】図１に示した食器洗浄機の背面図である。
【図９】図１に示した食器洗浄機の要部拡大断面である。
【図１０】本発明に係る食器洗浄機に適用するガイド手段を示す分解斜視図である。
【図１１】ガイド手段の組付け完了後における図１０のＡ矢視図である。
【図１２】ガイド手段の組付け完了後における図１０のＸＩＩ−ＸＩＩ線に沿う断面図である。
【符号の説明】
１…食器洗浄機、６１…本体側ガイドレール、６２ａ…第１の案内面、６３ａ…第２の案内面、６４ａ…第３の案内面、６６…本体側案内面、７１…ドア側ガイドレール、７２ａ…第４の案内面、７３ａ…第５の案内面、７４ａ…第６の案内面、７６…ドア側案内面、７８…ドア側ガイドローラ、８０…本体側ガイドローラ、８６，８８…ローラ本体、８６ａ，８８ａ…転動面、８７，８９…突出部、８７ａ，８９ａ…突出部の頂部、Ｂ…洗浄機本体、Ｄ…ドア、Ｓ…洗浄室。
【図１】
2004141356.tif 000003
【図２】
2004141356.tif 000004
【図３】
2004141356.tif 000005
【図４】
2004141356.tif 000006
【図５】
2004141356.tif 000007
【図６】
2004141356.tif 000008
【図７】
2004141356.tif 000009
【図８】
2004141356.tif 000010
【図９】
2004141356.tif 000011
【図１０】
2004141356.tif 000012
【図１１】
2004141356.tif 000013
【図１２】
2004141356.tif 000014